(57)【要約】【課題】  遊技ホールにおいてより効果的にタバコの煙を排気する。【解決手段】  遊技機１０１が複数設置された遊技ホール１００において、タバコＴの煙Ｔ１を排気するための遊技ホール設備１であって、遊技ホール１００の空気誘導壁の周囲近傍に配置され、この空気誘導壁の面に沿って空気Ａを上方に送る送風装置２と、天井部１０４に配置され、空気ＡやタバコＴの煙Ｔ１などを吸い込む吸気口３とを備える。【選択図】  図１
2016041161.tif 000002
【特許請求の範囲】
【請求項１】
パチンコ機やパチスロ機を含む遊技機が複数設置された遊技ホールにおいて、タバコの煙を排気するための遊技ホール設備であって、
前記遊技ホールに設置された空気誘導壁の周囲近傍に配設され、該空気誘導壁の面に沿って空気を上方に送る送風装置と、
前記送風装置の上方に配設され、空気を吸い込む吸気手段と、
を備えることを特徴とする遊技ホール設備。
【請求項２】
前記送風装置は、前記空気誘導壁から離隔した位置から前記空気誘導壁の面に向けて斜め上方に空気を吹き出す吹出口を備える、
ことを特徴とする請求項１に記載の遊技ホール設備。
【請求項３】
平面状で、前記空気誘導壁の周りに配設された垂れ壁を備え、
人が前記送風装置側に行き来できる範囲内で、前記送風装置の吹出口と前記垂れ壁の下端との距離ができるだけ短く設定されている、
ことを特徴とする請求項１または２のいずれか１項に記載の遊技ホール設備。
【請求項４】
前記送風装置の吹出口の高さが変更可能となっている、
ことを特徴とする請求項１から３のいずれか１項に記載の遊技ホール設備。
【請求項５】
複数の遊技機が設置された遊技エリアに近い空気誘導壁の周囲近傍に前記送風装置が配設されている、
ことを特徴とする請求項１から４のいずれか１項に記載の遊技ホール設備。
【請求項６】
前記空気誘導壁は、遊技ホール内の柱である、
ことを特徴とする請求項１から５のいずれか１項に記載の遊技ホール設備。
【請求項７】
ホール内のタバコの煙を排気するためのホール設備であって、
前記ホールの空気誘導壁の周囲近傍に配設され、該空気誘導壁の面に沿って空気を上方に送る送風装置と、
前記ホールの天井部に配設され空気を吸い込む吸気手段と、
を備えることを特徴とするホール設備。
【発明の詳細な説明】
【技術分野】
【０００１】
この発明は、遊技ホールまたは他のホールにおいて、タバコの煙を排気するための遊技ホール設備およびホール設備に関する。
【背景技術】
【０００２】
パチンコ機やパチスロ機などの遊技機が複数設置された遊技ホールにおいては、喫煙者と非喫煙者とが混在しており、喫煙者が吸うタバコの煙によって非喫煙者が不快な思いをする場合がある。このため、喫煙者と非喫煙者とが隣接して遊技をしていても、適切に分煙することが可能である、という装置が知られている（例えば、特許文献１参照。）。この装置は、隣り合う遊技機の境界上部に、下方に向かって空気を吹き出す送風機を備え、吹き出された空気によって上下方向に延びるエアーカーテンを形成し、隣席する遊技者の発する悪臭を遮断する、というものである。
【先行技術文献】
【特許文献】
【０００３】
【特許文献１】特開２００８−００５９７９号公報
【発明の概要】
【発明が解決しようとする課題】
【０００４】
ところで、遊技者は目の疲れを癒したり、気分転換したりするために、遊技機から離れてゆっくり休みたいと思う場合があり、そのため、遊技ホールには、ソファや灰皿などを備えた休憩所が設けられている。しかしながら、このような休憩所には、喫煙者だけではなく非喫煙者も集うため、喫煙者が吸うタバコの煙によって非喫煙者に不快感を与える場合がある。
【０００５】
一方、上記特許文献１のような装置を備えたとしても、非喫煙者に不快感を完全に与えないようにすることは困難であり、非喫煙者に不快感を与えないためにも、遊技の際には喫煙をしないで、喫煙をする際には休憩所などに行く、という分煙が好ましい。しかしながら、休憩所などでも非喫煙者に不快感を与える場合があり、より効果的にタバコの煙を排気することができる設備が望まれる。
【０００６】
そこでこの発明は、遊技ホールまたは他のホールにおいてより効果的にタバコの煙を排気することが可能な遊技ホール設備およびホール設備を提供することを目的とする。
【課題を解決するための手段】
【０００７】
上記課題を解決するために、請求項１に記載の発明は、パチンコ機やパチスロ機を含む遊技機が複数設置された遊技ホールにおいて、タバコの煙を排気するための遊技ホール設備であって、前記遊技ホールの空気誘導壁の周囲近傍に配設され、該空気誘導壁の面に沿って空気を上方に送る送風装置と、前記遊技ホールの天井部に配設され空気を吸い込む吸気手段と、を備えることを特徴とする。
【０００８】
この発明によれば、喫煙者が送風装置の近くでタバコを吸うと、送風装置からの空気の気流に誘引されて、タバコの煙が空気誘導壁の面に沿って上方に流れ、吸気手段によって吸い込まれ排気される。
【０００９】
請求項２に記載の発明は、請求項１に記載の遊技ホール設備において、前記送風装置は、前記柱から離隔した位置から前記空気誘導壁の面に向けて斜め上方に空気を吹き出す吹出口を備える、ことを特徴とする。
【００１０】
請求項３に記載の発明は、請求項１または２に記載の遊技ホール設備において、平面状で、前記空気誘導壁の周りに配設された垂れ壁を備え、人が前記送風装置側に行き来できる範囲内で、前記送風装置の吹出口と前記垂れ壁の下端との距離ができるだけ短く設定されている、ことを特徴とする。
【００１１】
請求項４に記載の発明は、請求項１から３に記載の遊技ホール設備において、前記送風装置の吹出口の高さが変更可能となっている、ことを特徴とする。
【００１２】
請求項５に記載の発明は、請求項１から４に記載の遊技ホール設備において、複数の遊技機が設置された遊技エリアに近い空気誘導壁の周囲近傍に前記送風装置が配設されている、ことを特徴とする。
【００１３】
請求項６に記載の発明は、請求項１から５のいずれか１項に記載の遊技ホール設備において、前記空気誘導壁は、遊技ホール内の柱である、ことを特徴とする。
【００１４】
請求項７に記載の発明は、ホール内のタバコの煙を排気するためのホール設備であって、前記ホールの空気誘導壁の周囲近傍に配設され、該空気誘導壁の面に沿って空気を上方に送る送風装置と、前記ホールの天井部に配設され空気を吸い込む吸気手段と、を備えることを特徴とする。
【発明の効果】
【００１５】
請求項１、７の発明によれば、送風装置からの気流に誘引されて、タバコの煙が空気誘導壁の面に沿って上方に流れるため、タバコの煙をより効果的に排気することが可能となる。すなわち、送風装置から空気誘導壁の面に沿って空気を上方に送るため、空気誘導壁がない場合に比べて空気の流速が速くなり、また、空気誘導壁の面に沿って上方に流れるため、タバコの煙が乱れることなく吸気手段に向かい、この結果、タバコの煙が迅速かつ集中的に吸気手段で吸い込まれる。従って、近くに非喫煙者がいても、非喫煙者への不快感を抑制、軽減することができる。
【００１６】
請求項２の発明によれば、喫煙者が送風装置の近くでタバコを吸うと、空気誘導壁から離れた吹出口から空気誘導壁の面に向けて斜め上方に空気が吹き出されているため、この気流に誘引されて（巻き込まれるように）タバコの煙が空気誘導壁の面に沿って上方に流れる。そして、吹出口が空気誘導壁から離れているため、広い範囲にわたってタバコの煙を誘引することができる。つまり、喫煙者が空気誘導壁の近くで喫煙しなくても、タバコの煙を効果的に排気することが可能となり、喫煙範囲（喫煙自由度）が広くなる。
【００１７】
請求項３の発明によれば、空気誘導壁の周りに垂れ壁が配設され、しかも、送風装置の吹出口と垂れ壁の下端との距離ができるだけ短く設定されているため、垂れ壁よりも外側（反空気誘導壁側）からの空気が送風装置側に流入するのが抑制される。この結果、タバコの煙をより効果的に排気することが可能となる。
【００１８】
請求項４の発明によれば、送風装置の吹出口の高さが変更可能となっているため、喫煙者の背丈や吸気手段の高さなどに応じて吹出口の高さを調整することで、タバコの煙をより効果的に排気することが可能となる。すなわち、送風装置の吹出口から吸気手段までの距離をできるだけ短くすることで、周辺からの空気が送風装置側に流入するのが抑制され、タバコの煙をより効果的に排気することが可能となる。
【００１９】
請求項５の発明によれば、遊技エリアに近い空気誘導壁の周囲近傍に送風装置が配設されているため、遊技ホールにおける分煙を促進することが可能となる。すなわち、遊技エリアに近いため、喫煙者は遠くまで行くことなく容易に喫煙することができ、このような空気誘導壁の近傍での喫煙を促進することができる。このようにして、遊技の際には（遊技機の前では）喫煙をしないで、喫煙をする際には空気誘導壁の近傍に行く、という分煙を促進することが可能となる。
【００２０】
請求項６の発明によれば、遊技ホール中の柱の周囲近傍に、送風装置を配設して、その上の天井に吸気手段を設置することで、新たに空気誘導壁を設置することなく、既存の柱の周囲のスペースを有効活用することが可能になる。
【図面の簡単な説明】
【００２１】
【図１】この発明の実施の形態１に係る遊技ホール設備を示し、喫煙者が柱の傍に立って喫煙している状態を示す図である。
【図２】図１の遊技ホール設備が設けられている遊技ホールの概略平面図・見取り図である。
【図３】図１の遊技ホール設備の送風装置を示す正面図（ａ）とその平面図（ｂ）である。
【図４】図１の場合における概略的な風速分布を示す図である。
【図５】この発明の実施の形態２に係る遊技ホール設備の送風装置を示す側面図である。
【図６】この発明の実施の形態３に係る遊技ホール設備の送風装置を示す正面図（ａ）とその平面図（ｂ）である。
【図７】この発明の実施の形態４に係る遊技ホール設備を示し、喫煙者が壁板の傍に立って喫煙している状態を示す図である。
【図８】図７の遊技ホール設備が設けられている遊技ホールの概略平面図・見取り図である。
【図９】この発明の実施の形態５に係る遊技ホール設備の送風装置を示す側面図である。
【図１０】この発明の別の実施の形態に係る遊技ホール設備を示し、喫煙者が円柱の近傍で立って喫煙している状態を示す図である。
【図１１】図３の送風装置において、灰皿を設けない場合を示す正面図（ａ）とその平面図（ｂ）である。
【発明を実施するための形態】
【００２２】
以下、この発明を図示の実施の形態に基づいて説明する。
【００２３】
「実施の形態１」
「遊技ホール設備１の構成」
図１は、この発明の実施の形態１に係る遊技ホール設備１を示す図である。この遊技ホール設備１は、図２に示すように、パチンコ機やパチスロ機などの遊技機１０１が複数設置された遊技ホール１００において、タバコＴの煙Ｔ１を排気、除去するための設備であり、主として、送風装置２と、吸気口（吸気手段）３と、垂れ板（垂れ壁）４とを備えている。
【００２４】
「送風装置２の構成」
送風装置２は、遊技ホール１００の柱（空気誘導壁）１０３の周囲近傍に配設され、この柱１０３の面に沿って空気（送風空気）Ａを上方に送る装置であり、図３に示すように、主として、本体２１と、送風機（送風手段）２２とを備えている。
【００２５】
本体２１は、側面からは略立方体の箱状で、上面はロの字状をしており、中央の開口は柱１０３が通る大きさに設定されており、側板には空気窓２１１が設けられ、上面の内周側に吹出口２１２が設けられている。この吹出口２１２は、柱１０３の面に沿って水平に延びる複数のスリットから構成され、送風機２２からの空気Ａが柱１０３の面に沿って（柱１０３を這うように）上方に流れるように形成されている。さらに、本体２１の上面の吹出口２１２の外周側には、灰皿２１３が設けられ、灰皿２１３に置かれたタバコＴの煙Ｔ１が吹出口２１２からの気流に誘引されて上方に流れるようになっている。
【００２６】
ここで、タバコＴの煙Ｔ１には、灰皿２１３に置かれたタバコＴの煙Ｔ１、喫煙者Ｍが手に持っているタバコＴの煙Ｔ１、喫煙者Ｍが吐き出した煙Ｔ１を含む。また、送風機２２からの空気Ａが柱１０３の面に沿って上方に流れれば、吹出口２１２をスリットで構成しなくてもよい。
【００２７】
送風機２２は、空気を取り込んで所定の圧力、風量で空気Ａを外に送る装置であり、本体２１内に収容され、本体２１の側板に設けられた空気窓２１１を介して空気Ａを取り込み、吹出口２１２から空気Ａを上方に送るようになっている。ここで、送風機２２の形式としては、ファン式やブロア式などいずれのものであってもよく、その容量、風量は、タバコＴの煙Ｔ１を適正に吸気口３に送れるように設定されている。
【００２８】
このような送風装置２が、遊技ホール１００の休憩兼通路エリア１２０の柱１０３の周囲近傍に配設されている。すなわち、遊技ホール１００の遊技エリア１１０内には、図２に示すように、複数の遊技機１０１が直線的に配列された遊技機島１０２が、複数並列に設置されている。また、休憩兼通路エリア１２０は、遊技エリア１１０外に位置し、人が休憩したり通行したりするエリアであり、この休憩兼通路エリア１２０の遊技エリア１１０に近い柱１０３の周囲近傍に送風装置２が配設されている。
【００２９】
「吸気口３の構成」
このような休憩兼通路エリア１２０の天井部１０４に、送風装置２からの空気ＡやタバコＴの煙Ｔ１などを吸い込む吸気口（排気口）３が設けられている。この吸気口３は、長方形で柱１０３の周りを囲むように配設され、天井部１０４内の排気ダクトおよび排気ファン（図示せず）に接続され、吸気口３に吸い込まれた空気Ａや煙Ｔ１などが、排気ダクトを通って外部に排気されるようになっている。
【００３０】
柱１０３の周囲近傍に、吹出口２１２のスリットが柱１０３の面に沿って延びるように、送風装置２が配設されている。
【００３１】
「垂れ板４の構成」
垂れ板４は、吸気口３を柱１０３とで挟むように、柱１０３の周りを囲むように配設されている。この垂れ板４は、平板状（平面状）で、上端部が天井部１０４に固定されて下方に延び、柱１０３と垂れ板４とで吸気口３を挟むように（吸気口３の反柱１０３側を遮蔽するように）、柱１０３の面に沿って配設されている。また、垂れ板４の垂直方向の長さは、人や物が送風装置２側（柱１０３側）に行き来できる範囲内で、送風装置２の吹出口２１２と垂れ壁４の下端との距離Ｌができるだけ短くなるように設定されている。つまり、床から垂れ板４の下端までの高さが、人の背丈よりもやや高くなるように設定されている。
【００３２】
すなわち、距離Ｌが長いと、垂れ板４よりも外側（反柱１０３側）からの空気Ｇ、つまり休憩兼通路エリア１２０外からの空気Ｇが、休憩兼通路エリア１２０内に流入して吸気口３側に向かい、送風装置２からの空気ＡおよびタバコＴの煙Ｔ１を吸気する割合が減少する。これに対して距離Ｌが短いと、休憩兼通路エリア１２０外からの空気Ｇが、休憩兼通路エリア１２０内および吸気口３側に流入するのが抑制され、送風装置２からの空気ＡおよびタバコＴの煙Ｔ１をほぼ誘引できる。このため、垂れ板４の長さをできるだけ長く設定しているものである。
【００３３】
一方、送風装置２の吹出口２１２から吸気口３までの距離が短い場合には、休憩兼通路エリア１２０外からの空気Ｇが、休憩兼通路エリア１２０内および吸気口３側に多量に流入することが抑制されるため、垂れ板４自体を設けなくてもよい。すなわち、吹出口２１２の位置を高くして吸気口３までの距離をできるだけ短くすること、垂れ板４を設けてその長さをできるだけ長くすること、あるいはこれらの双方によって、休憩兼通路エリア１２０外からの空気Ｇが、休憩兼通路エリア１２０内および吸気口３側に流入するのを抑制する。これにより、送風装置２からの空気ＡおよびタバコＴの煙Ｔ１の流速の低下が少なく、迅速かつ集中的に吸気口３に吸い込まれるものである。
【００３４】
そして、例えば、図１に示すように角柱の場合、送風装置２からの空気Ａや煙Ｔ１などの風速分布は、概略図４に示すような分布となる。すなわち、送風装置２の吹出口２１２近傍では、ほぼ送風装置２からの空気Ａのみであるため、流速が速くかつほぼ均等な流速となる。
【００３５】
しかし、上方に向かうに従って、送風装置２からの空気Ａ以外の気体（煙Ｔ１や休憩兼通路エリア１２０内の空気、休憩兼通路エリア１２０外の空気Ｇ）も巻き込まれるため、流速が全体的に下がってかつ偏りが発生する。すなわち、柱１０３の近傍では流速が速く、柱１０３から離れるに従って流速が遅くなり、また、吹出口２１２の近傍では流速が速く、吹出口２１２から離れると、流速が遅くなる。従って、送風装置２の吹出口２１２の近くでかつ柱１０３の近くでタバコＴを吸うと、タバコＴの煙Ｔ１が迅速かつ集中的に吸気口３に吸い込まれるものである。
【００３６】
「遊技ホール設備１の作用等」
次に、このような構成の遊技ホール設備１の作用などについて説明する。
【００３７】
まず、遊技エリア１１０で遊技をしている遊技者（喫煙者Ｍ）がタバコＴを吸いたくなった場合には、休憩兼通路エリア１２０内の柱１０３の近くに行く。そして、柱１０３の傍に立ってタバコＴを吸う場合、送風装置２の送風機２２を起動させると、図１に示すように、送風機２２からの空気Ａが吹出口２１２から柱１０３の面に沿って上方に流れる。この状態で喫煙者ＭがタバコＴを吸うと、送風装置２からの空気Ａの気流に誘引されて、タバコＴの煙Ｔ１が柱１０３の面に沿って上方に流れ、送風装置２からの空気Ａとともに吸気口３によって吸い込まれる。
【００３８】
ここで、送風機２２は、常に起動しておいてもよいし、人感センサで人を検知した際に起動するようにしてもよい。また、喫煙者Ｍの背丈などに応じて、送風装置２の吹出口２１２の高さを調整してもよい。
【００３９】
以上のように、この遊技ホール設備１によれば、送風装置２からの気流に誘引されて、タバコＴの煙Ｔ１が柱１０３の面に沿って上方に流れるため、タバコＴの煙Ｔ１をより効果的に排気することが可能となる。具体的には、まず、送風装置２から柱１０３の面に沿って空気Ａを上方に送るため、柱１０３がない場合に比べて空気Ａの流速が速くなる。つまり、柱１０３がない状態で空気Ａを送ると、周囲からの空気を多く巻き込み気流の流速が低下するが、柱１０３の面に沿って空気Ａを送ることで、周囲からの空気の巻き込み量が減り気流の流速の低下が少ない。
【００４０】
さらに、タバコＴの煙Ｔ１が柱１０３の面に沿って上方に流れるため、煙Ｔ１が乱れることなく吸気口３に向かう。このように、タバコＴの煙Ｔ１が速い流速でかつ乱れることなく吸気口３に向かうため、タバコＴの煙Ｔ１を迅速かつ集中的に吸気口３で吸い込むことができるものである。ここで、柱１０３の面に沿わせない場合、送風装置２からの風量を上げることで流速を速めることはできるが、大きな電力を要するのに対して、この遊技ホール設備１によれば、少ない風量、電力で流速を速めることができ、省エネルギー化が可能となる。
【００４１】
すなわち、
（１）柱１０３の面に沿って煙Ｔ１を流す（柱面噴流する）ことで、煙Ｔ１の流れの方向を固定しやすくなり、上方の吸気口３で煙Ｔ１が吸い込まれやすくなる。
（２）柱１０３が存在するため、他の気流が少なく噴流・気流が乱れず、休憩兼通路エリア１２０外からの空気Ｇが流入しにくくなる。
（３）柱１０３の片面側（休憩兼通路エリア１２０側）のみから誘引するため、同じ気流速度を得るのにほぼ半分の風量でよい。この結果、通常の新鮮空気量の補給だけで賄うことができ（通常の空調負荷ですみ）、省エネルギー化が可能となる。
という効果が得られるものである。
【００４２】
また、吸気口３の反柱１０３側を遮蔽するように垂れ板４が配設され、しかも、垂れ板４の長さができるだけ長く設定されているため、休憩兼通路エリア１２０外からの空気Ｇが、休憩兼通路エリア１２０内および吸気口３側に流入するのが抑制される。これにより、送風装置２からの空気ＡおよびタバコＴの煙Ｔ１の流速の低下が少なく、タバコＴの煙Ｔ１をより効果的に排気することが可能となる。従って、近くに非喫煙者がいても、非喫煙者への不快感を抑制、軽減することができる。
【００４３】
一方、このような送風装置２、さらには遊技ホール設備１が、遊技エリア１１０に近い柱１０３の周囲近傍に設けられているため、遊技ホール１００における分煙を促進することが可能となる。すなわち、遊技エリア１１０に近いため、喫煙者Ｍは遠くまで行くことなく容易に喫煙することができ、このような柱１０３の傍での喫煙を促進することができる。このようにして、遊技の際には（遊技機１０１の前では）喫煙をしないで、喫煙をする際には休憩兼通路エリア１２０の柱１０３の傍に行く、という分煙を促進することが可能となり、遊技中に周囲の非喫煙者に不快感を与えることがない。
【００４４】
「実施の形態２」
図５は、この発明の実施の形態２を示す図である。この実施の形態では、送風装置５が実施の形態１と異なり、実施の形態１と同等の構成については、同一符号を付することでその説明を省略する。この送風装置５は、柱１０３から離隔した位置から柱１０３に向けて斜め上方に空気Ａを吹き出す吹出口５１を備える。
【００４５】
すなわち、送風装置５の本体２１の上板の、外周側に片面側に吹出口５１が設けられ、内周側に灰皿５２が設けられた送風装置５を、柱１０３の周囲近傍に配設した際に、吹出口５１が柱１０３から所定距離だけ離れるようになっている。ここで、吹出口５１が柱１０３から離隔される距離は、喫煙者Ｍが送風装置５の近くでタバコＴを吸った際に、タバコＴの煙Ｔ１が、吹出口５１から吹き出される空気Ａの気流に誘引されて（巻き込まれて）柱１０３の面に沿って上方に流れるように設定されている。
【００４６】
また、吹出口５１内には、図５に示す第１のガイドベーン５３と、第２のガイドベーン５４とが設けられている。第１のガイドベーン５３は、吹出口５１から柱１０３に向って斜め上向きになるように複数配設されている。これにより、柱１０３から離れた位置の吹出口５１から柱１０３に向けて、斜め上方に空気Ａが吹き出されるようになっている。ここで、第１のガイドベーン５３の配設角度、つまり、柱１０３に対する空気Ａの吹出角度は、吹き出された空気Ａが柱１０３の面に沿ってより効率的に上方に流れるように設定されている。
【００４７】
また、第２のガイドベーン５４は、柱１０３の面に沿って複数配設され、柱１０３と平行な面内において角度を調整可能となっている。これにより、吹出口５１から吹き出される空気Ａの広がり角度を調整できるようになっている。
【００４８】
このような実施の形態によれば、喫煙者Ｍが送風装置５の近くでタバコＴを吸うと、柱１０３から離れた吹出口５１から柱１０３に向けて斜め上方に空気Ａが吹き出されているため、この気流に誘引されて（巻き込まれるように）タバコＴの煙Ｔ１が柱１０３の面に沿って上方に流れる。そして、吹出口５１が柱１０３から離れているため、広い範囲にわたってタバコＴの煙Ｔ１を誘引することができる。つまり、喫煙者Ｍが柱１０３の直近で喫煙しなくても、タバコＴの煙Ｔ１を効果的に排気することが可能となり、喫煙範囲（喫煙自由度）が広くなる。また、吹出口５１から吹き出される空気Ａの下方に灰皿５２が設けられているため、灰皿５２から立ち昇るタバコＴの煙Ｔ１が、吹出口５１からの空気流に乗ってより効率よく上方に流れる。このため、灰皿５２からのタバコＴの煙Ｔ１をより効果的に排気することが可能となる。
【００４９】
「実施の形態３」
図６は、この発明の実施の形態３を示す図である。この実施の形態では送風装置６が実施の形態１と異なり、その他の実施の形態１と同等の構成については、同一符号を付することでその説明を省略する。この送風装置６は、柱１０３の周囲近傍への固定式ではなく、移動自在であり、柱１０３の周囲に配設ができる。
【００５０】
送風装置６のキャスタ６１は、送風装置６全体を移動させる車輪であり、進行方向や向きが変更自在で、脚体６２を介して本体２１の底面の四隅に配設されている。また、脚体６２は、上下方向に伸縮自在となっており、これにより、吹出口２１２の高さ位置が変更可能となっている。ここで、例えば、喫煙者Ｍが折りたたみ椅子などに座って喫煙したり、立って喫煙したりした際に、喫煙者Ｍの肘近くに吹出口２１２の高さを調整できるように、脚体６２の伸縮長が設定されている。また、キャスタ６１には、回転を停止させるストッパが設けられている。
【００５１】
キャスタ６１により送風装置６を、柱１０３の周囲近傍に、柱１０３の面沿って空気Ａが上方に送られるような向き、すなわち吹出口２１２のスリットが柱１０３の面に沿って延びるように配設して、使用する。これにより、空気Ａの気流に誘引されてタバコＴの煙Ｔ１が柱１０３の面に沿って上方に流れるため、タバコＴの煙Ｔ１を効率良く排気することができる。
【００５２】
このような実施の形態によれば、実施の形態１、２のように送風装置２、５を柱１０３の周囲近傍に設置する工事を必要とせず、キャスタ６１により床面を自在に移動ができ、脚体６２で吹出口２１２の高さが調整自在となっているような送風装置６を、柱１０３の周囲近傍に、柱１０３の面沿って空気Ａが上方に送られるような向きで配設するという簡便な方法で、実施の形態１、２と同様の効果を得ることが可能である。
【００５３】
さらに、送風装置６の吹出口２１２の高さが調整自在となっているため、喫煙者Ｍの背丈や吸気口３の高さなどに応じて吹出口２１２の高さを調整することで、タバコＴの煙Ｔ１をより効果的に排気することが可能となる。すなわち、送風装置６の吹出口２１２から吸気口３までの距離をできるだけ短くすることで、休憩兼通路エリア１２０外からの空気Ｇが、送風装置２と吸気口３の間に流入するのを抑制し、タバコＴの煙Ｔ１をより効果的に排気することが可能となる。
【００５４】
「実施の形態４」
図７〜９は、この発明の実施の形態４を示す図である。この実施の形態では、空気誘導壁は壁板１０５である点と、吸気口３が壁板１０５の真上にあり、壁板１０５と天井１０４の間を繋ぐダクトである点が、実施の形態１と主に異なる。その他、実施の形態１と同等の構成については、同一符号を付することでその説明を省略する。
【００５５】
壁板１０５は、遊技ホール１００の休憩兼通路エリア１２０内の、休憩所１２１の近くの床に、垂直に立てて設置されている。壁板１０５の左右には、側壁１０６が設置されており、上からみると壁板１０５と２枚の側壁１０６は略Ｈ字状に組み合わされている。
【００５６】
送風装置２の吹出口２１２は、壁板１０５の両面の２箇所に、空気Ａが壁板１０５に沿って上方に流れるように設けられている。また、この実施の形態４においては、灰皿２１３は送風装置２に設けず、別個独立した設備として送風装置２の近くに設置した。
【００５７】
吸気口３は、壁板１０５と、側壁１０６の上端と、天井１０４の間を繋ぐダクトとして設置され、その上端は、天井部１０４内の排気ダクトおよび排気ファン（図示せず）に繋がっている。吸気口３の長さは、天井１０４の高さに合わせて適宜調整をする。
【００５８】
垂壁４は、壁板１０５の上端と、吸気口３の境に、設置された天板４１に、壁板１０５の周りを囲むように設置されており、周辺の空気Ｇの流入を抑え、空気Ａと煙Ｔ１の周辺への漏れを防いでいる。天板４１には、壁板１０５から上昇した空気Ａが吸気口３に流れ込むように、吸気口３の大きさと形状に合わせて開口が設けられている。
【００５９】
また、図９は、この実施の形態４において、図５のように、送風装置５が、壁板１０５から離隔した位置から壁板１０５に向けて斜め上方に空気Ａを吹き出す吹出口５１を備えた場合を示している。ここで、垂板４の正面と、側壁１０６は図示を省略した。
【００６０】
すなわち、送風装置５の本体２１の上板の、外周側に片面側に吹出口５１が設けられた送風装置５を、壁板１０５の両面に配設した際に、吹出口５１が壁板１０５から所定距離だけ離れるようになっている。ここで、吹出口５１が壁板１０５から離隔される距離は、喫煙者Ｍが送風装置５の近くでタバコＴを吸った際に、タバコＴの煙Ｔ１が、吹出口５１から吹き出される空気Ａの気流に誘引されて（巻き込まれて）壁板１０５の面に沿って上方に流れるように設定されている。
【００６１】
このような実施の形態によれば、壁板１０５は設置場所の自由度が高いので、遊技ホール１００内の空いたスペースの有効活用が可能となる。また、側壁１０６を備えることにより、煙Ｔ１が周囲に漏れずに効率良く収集できるので、タバコＴの煙Ｔ１の周囲への漏れを防止して、より効果的に排気することが可能となる。また、喫煙者Ｍが柱１０３の直近で喫煙しなくても、タバコＴの煙Ｔ１を効果的に排気することが可能となる。
【００６２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、空気誘導壁は四角柱の柱１０３や壁板１０５としたが、図１０に示す様に、円柱１０７とし、送風装置２の正面図の形状をドーナツ形状としてもよいし、その他三角柱など、自由な形状の柱と送風装置２の組み合わせでも同様の効果を得ることが可能である。
【００６３】
また、垂れ壁を平板状の垂れ板４で構成しているが、変形自在なカーテン状の部材で構成してもよい。さらに、垂れ板４の垂直方向の長さを調整できるようにしてもよい。
【００６４】
さらに、灰皿２１３は送風装置２に設けずに、図１１に示すように、別体として灰皿を設置するようにしてもよい。
【００６５】
一方、休憩兼通路エリア１２０内の空気誘導壁に送風装置２を配置する場合、つまり、休憩兼通路エリア１２０に遊技ホール設備１を設ける場合について説明したが、遊技ホール１００のロビーや通路など、別のエリアの空気誘導壁に設けてもよい。また、実施の形態２において、第１のガイドベーン５３の配設角度を調整可能にしてもよい。
【００６６】
また、実施の形態３では、送風装置６の脚体６２が伸縮することで、吹出口２１２の高さが変更可能となっているが、本体２１が伸縮することで、吹出口２１２の高さが変わるようにしてもよい。さらに、送風装置６の配置は、必ずしも空気誘導壁の周囲全体にわたる必要はなく、例えば一部の辺にのみ配置し、その近傍を喫煙スペース、他の辺の近傍を禁煙スペースとすることで、柱近傍の分煙を促進でき、空気誘導壁の周りのスペースを有効活用できる。
【００６７】
また、以上の実施の形態では、パチンコ機やパチスロ機を含む遊技機１０１が複数設置された遊技ホール１００に設置する場合について説明したが、本発明は、遊技ホール１００に限られず、駅や空港などのホール内に、ホール設備として同じ設備を設置してもよい。
【符号の説明】
【００６８】
１        遊技ホール設備
２        送風装置
２１      本体
２１１    空気窓
２１２    吹出口
２１３    灰皿
２２      送風機（送風手段）
３        吸気口（吸気手段）
４        垂れ板（垂れ壁）
６１      キャスタ（移動手段）
６２      脚体
１００    遊技ホール
１０１    遊技機
１０２    遊技機島
１０３    柱（空気誘導壁）
１０５    壁板（空気誘導壁）
１１０    遊技エリア
１２０    休憩兼通路エリア
Ｍ        喫煙者
Ｔ        タバコ
Ｔ１      煙
Ａ        送風装置に吸入・吹出しされる空気
Ｇ        休憩兼通路エリア外からの空気
【図１】
2016041161.tif 000003
【図２】
2016041161.tif 000004
【図３】
2016041161.tif 000005
【図４】
2016041161.tif 000006
【図５】
2016041161.tif 000007
【図６】
2016041161.tif 000008
【図７】
2016041161.tif 000009
【図８】
2016041161.tif 000010
【図９】
2016041161.tif 000011
【図１０】
2016041161.tif 000012
【図１１】
2016041161.tif 000013